(57)【特許請求の範囲】
【請求項１】
複数のカラーモードのいずれかを用いて画像受信を行なうファクシミリ装置であって、受信処理に使用可能な資源の検出結果に応じて、画像受信の際のカラーモードを制御するファクシミリ装置において、
記録紙がある状態の受信時に、一旦ＪＰＥＧ符号化画像の受信機能あり、およびフルカラー画像の受信機能ありを送信機に通知した後、続いて送信機からメモリ受信が指定された場合、
使用可能なメモリ容量が所定容量以上であれば次のプロトコルに移行するが、
使用可能なメモリ容量が所定容量未満であり、かつ送信機からカラー情報の送信あるいはグレースケールの送信が指定されている場合は、送信機に対してＪＰＥＧ符号化画像の受信機能なし、および、フルカラー画像の受信機能なしを送信機に通知し直し、
一方、送信機からカラー情報の送信およびグレースケールの送信がともに指定されなければ次のプロトコルに移行することを特徴とするファクシミリ装置。
【請求項２】
複数のカラーモードのいずれかを用いて画像受信を行なうファクシミリ装置であって、受信処理に使用可能な資源の検出結果に応じて、画像受信の際のカラーモードを制御するファクシミリ装置の制御方法において、
記録紙がある状態の受信時に、一旦ＪＰＥＧ符号化画像の受信機能あり、およびフルカラー画像の受信機能ありを送信機に通知した後、続いて送信機からメモリ受信が指定された場合、
使用可能なメモリ容量が所定容量以上であれば次のプロトコルに移行するが、
使用可能なメモリ容量が所定容量未満であり、かつ送信機からカラー情報の送信あるいはグレースケールの送信が指定されている場合は、送信機に対してＪＰＥＧ符号化画像の受信機能なし、および、フルカラー画像の受信機能なしを送信機に通知し直し、
一方、送信機からカラー情報の送信およびグレースケールの送信がともに指定されなければ次のプロトコルに移行することを特徴とするファクシミリ装置の制御方法。
【発明の詳細な説明】
【０００１】
【発明の属する技術分野】
本発明は、複数のカラーモードのいずれかを用いて画像受信を行なうファクシミリ装置、およびファクシミリ装置の制御方法に関するものである。
【０００２】
【従来の技術】
従来のファクシミリ装置は、記録紙、および、インク、トナーなどの画像記録のための記録材料の残量が充分な状況では、ファクシミリ受信が選択されると、このファクシミリ装置の有している最大限の機能を用いてファクシミリ受信処理を実行していた。
【０００３】
また、記録紙がない場合でも、他の記録材料、たとえばインク、トナーなどがあれば、あるいは、メモリ受信を指定されている場合は、受信のための資源、たとえば、メモリ受信のためのメモリがあれば、このファクシミリ装置の有している最大限の資源、機能を用いてファクシミリ受信を実行していた（この場合メモリ受信）。
【０００４】
【発明が解決しようとする課題】
上記のメモリ受信を行なわなければならない状況においては、従来ではメモリ受信のためのメモリさえあればメモリ受信を実行していた。
【０００５】
一方、カラー記録手段の低価格化にともない、２値画像、中間調（ハーフトーン、あるいはグレースケール）画像を受信するモードに加え、カラー画像を受信するカラー受信モードをも有するファクシミリ装置が増加するきざしがあるが、従来考えられているこの種の装置では、上記のいずれの受信モードを許容するかに関して、特に装置の資源の状況を斟酌しておらず、送信側からカラー受信モードが指定された場合にはカラーファクシミリ受信をメモリ受信により実行するようになっている。
【０００６】
しかし、カラー画像は情報量が多く、また、画像処理にも多大なメモリを必要とするために、メモリ受信のためのメモリ残量が少なければ、すぐに受信（実行中のカラー受信、あるいは後の受信）の続行が不可となってしまうという問題があった。
【０００７】
本願発明の課題は上記の問題を解決し、２値画像、中間調画像、カラー画像などを伝送するカラーモードを受信機の資源の状況に応じて適切に選択し、実行中の通信やその後の通信に不可能になるなどの障害を生じることなく確実に通信を行なえるようにすることにある。
【０００８】
【課題を解決するための手段】
以上の課題を解決するために、本発明においては、複数のカラーモードのいずれかを用いて画像受信を行なうファクシミリ装置であって、受信処理に使用可能な資源の検出結果に応じて、画像受信の際のカラーモードを制御するファクシミリ装置あるいはその制御方法において、
記録紙がある状態の受信時に、一旦ＪＰＥＧ符号化画像の受信機能あり、およびフルカラー画像の受信機能ありを送信機に通知した後、続いて送信機からメモリ受信が指定された場合、
使用可能なメモリ容量が所定容量以上であれば次のプロトコルに移行するが、
使用可能なメモリ容量が所定容量未満であり、かつ送信機からカラー情報の送信あるいはグレースケールの送信が指定されている場合は、送信機に対してＪＰＥＧ符号化画像の受信機能なし、および、フルカラー画像の受信機能なしを送信機に通知し直し、
一方、送信機からカラー情報の送信およびグレースケールの送信がともに指定されなければ次のプロトコルに移行する構成を採用した。
【００１１】
【発明の実施の形態】
［第１の実施形態］
以下、図面に示す実施形態に基づいて本発明を詳細に説明する。
【００１２】
図１は本発明の実施形態のファクシミリ装置の構成を示している。
【００１３】
図１において符号２は、ＮＣＵ（網制御装置）で、電話網をデータ通信等に使用するためにその回線の端末に接続し、電話交換網の接続制御を行なったり、データ通信路への切り替えを行なったり、ループの保持を行なうものである。また、ＮＣＵ２は、バス２６からの制御により電話回線２ａを電話機４側に接続（ＣＭＬオフ）したり、電話回線２ａをファクシミリ装置側に接続（ＣＭＬオン）したりする。なお、通常状態では、電話回線２ａは電話機４側に接続されている。
【００１４】
符号６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で、変復調器８に送るためのものである。
【００１５】
符号８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調および復調を行なうものであり、バス２６からの制御により、各伝送モードが指定される。変復調器８はバス２６からの送信信号を入力し、変調データを信号線８ａに出力し、信号線６ａに出力されている受信信号を入力し、腹調データをバス２６に出力する。
【００１６】
符号１０は、発呼回路であり、バス２６から電話番号情報を入力し、信号線１０ａにＤＴＭＦの選択信号を出力する。
【００１７】
符号１２は、送信信号を混合するための加算回路であり、信号線８ａの情報と信号線１０ａの情報を入力し、加算した結果を信号線１２ａに出力する。
【００１８】
符号１４は、原稿搬送系、光学読取素子などから構成された読取回路であり、原稿から読み取った画像データをバス２６に出力する。好ましくは、読取回路１４は２値画像、カラー画像、およびグレースケール画像の読み取りを行なえる読取機構から構成されるものとする。
【００１９】
符号１６は、電子写真方式、インクジェット、感熱、レーザビームなど所定の記録方式に基いて構成された記録回路であり、バス２６に出力された画情報を順次１ライン毎に記録する。
【００２０】
本実施形態では、記録回路１６は２値画像、カラー画像、およびグレースケール画像の記録を行なえる記録機構から構成されるものとする。また、記録回路１６には、従来装置と同様に、受信機が受信に用いることができる資源として、記録材料、たとえば記録紙、インク、トナー（あるいはその他の記録方式に応じた材料）の残量を検出する機構が設けられ、記録材料残量の検出結果はバス２６を介してＣＰＵ２２に伝達される。
【００２１】
なお、本明細書では、一貫して記録回路１６により記録を受ける媒体を指すものとして「記録紙」との用語を用いるが、この「記録紙」の材質は必ずしも文字通り「紙」である必要はなく、プラスチックシートなどの他の材質であってよいのはいうまでもない。
【００２２】
符号１８は、ＲＡＭなどから構成されたメモリ回路であり、ＲＯＭ、ＲＡＭ、あるいはハードディスクなどの任意の記憶装置から構成され、種々のデータの記憶に用いられる。すなわち、メモリ回路１８はワーク用のメモリ回路（ＲＡＭ）として、あるいはさらに読取りデータの生情報、あるいは符号化した情報を格納したり、また受信情報、あるいは復号化した情報等をバス２６を介して格納するために用いられる。
【００２３】
また、本実施形態のファクシミリ装置は、ＩＴＵ−Ｔ勧告Ｔ．３０のサブアドレス（あるいはＩＳＤＮのサブアドレスなど）に対応して、親展受信や他局への画像転送、ポーリングなどの通信仕様を登録可能な、いわゆるメモリボックスを設定可能なものとする。たとえば、メモリ回路１８には、サブアドレス信号に関連づけて、そのメモリボックスが実行すべき通信仕様を登録できる。
【００２４】
本実施形態においては、メモリボックスには、通信仕様として親展受信機能を割り付けることができるものとする。
【００２５】
また、本実施形態においては、受信機が受信に用いることができる資源として、メモリ回路１８の残量も検出できるものとする。メモリ回路１８の残量は、公知の各種の手法で検出すればよく、たとえば、メモリ受信や上記の親展受信のために用いられる画像メモリを管理するための管理情報を利用することによりＣＰＵ２２が容易に算出することができる。
【００２６】
符号２０は操作部であり、ワンタッチダイヤル、短縮ダイヤル、テンキー、＊キー、♯キー、スタートキー、セットキー、ストップキー、親展受信情報のプリントキー、親展受信一覧の指定キー、その他ファンクションキーを有するキーボードが設けられており、このキーボードで押下されたキーの操作情報はバス２６に出力される。
【００２７】
また、操作部２０には、ＬＣＤパネルなどから成る表示部が設けられており、バス２６からの制御に基づき、種々の情報表示を行なう。
【００２８】
符号２２は、ＣＰＵ（中央処理装置）であり、装置全体の制御を行なうとともに、ファクシミリ伝送制御手順を実行するが、その制御プログラムはＲＯＭ２４に格納される。本実施形態の場合、ＲＯＭ２４は、本発明の記憶媒体に該当する。
【００２９】
ＲＯＭ２４には、以下に概要を示すような通信制御を行なうための制御プログラムが格納される。
【００３０】
本実施形態では、受信機が受信処理に使用可能な資源を検出し、検出された受信機が受信処理に使用可能な資源の検出結果に応じて、画像伝送の際のカラーモードを制御する。
【００３１】
たとえば、本実施形態においては、使用可能なメモリ残量を検出し、検出された使用可能なメモリ残量に応じてカラー情報の受信機能の有無、グレースケールモードでの受信機能の有無、たとえば、ＪＰＥＧ符号化の機能の有無、フルカラーの受信機能の有無を送信機に通知する。
【００３２】
送信機に対する受信機能の通知は、ＩＴＵ−Ｔ勧告Ｔ．３０準拠の通信であれば、たとえば、ＤＩＳ／ＤＴＣ／ＤＣＳ信号の情報フィールドを用いて行なうことができる。たとえば、ＳＵＢ信号の受信機能はビット４９により宣言される。送信機の機能指定は、ＤＣＳ信号の対応するビットにより行われる。
【００３３】
画像伝送の際のカラーモードも、ＩＴＵ−Ｔ勧告Ｔ．３０では、ＤＩＳ／ＤＴＣ／ＤＣＳ信号により宣言されるが、本実施形態においては、説明を容易にするために、画像伝送の際のカラーモードについてはＪＰＥＧ受信機能、フルカラー受信機能、およびグレースケールモードを識別することを考える。
【００３４】
実際には、ＩＴＵ−Ｔ勧告Ｔ．３０では、これらのカラーモードはＤＩＳ／ＤＴＣ／ＤＣＳ信号の複数のビットの組合せにより表現されることになっている。
【００３５】
たとえば、ＤＩＳ／ＤＴＣ信号では、ＪＰＥＧ受信機能はビット６８により、フルカラー受信機能はビット６９により送信機に通知でき、これらの組合せによりカラーモードを決めることができる。また、送信機からのＪＰＥＧおよびフルカラーモードの指定はそれぞれＤＣＳ信号のビット６８、６９により宣言される。グレースケールモードはビット６９を０とし、６８を１とすることにより宣言され、また、カラー通信は６８、６９をともに１とすることにより宣言される。
【００３６】
本実施形態では、受信機の使用可能な資源の検出結果に応じてカラーモードを決定する処理は次のように行なう。
【００３７】
たとえば、インクやトナーなどの記録材料はあるが、記録紙がない状態における受信では、使用可能なメモリ容量が、所定容量以上であれば、送信機にＪＰＥＧ符号化画像の受信機能あり、および、フルカラー画像の受信機能ありを通知し、一方、使用可能なメモリ容量が所定容量未満であれば、送信機にＪＰＥＧ符号化画像の受信機能なし、および、フルカラー画像の受信機能なしを通知する。
【００３８】
あるいは、インクやトナーなどの記録材料、および記録紙がともにある状態における受信では、一旦ＪＰＥＧ符号化画像の受信機能あり、およびフルカラー画像の受信機能ありを通知した後、送信側からメモリ受信が指定されると、使用可能なメモリ容量が所定容量以上であれば、次のプロトコルに移行するが、使用可能なメモリ容量が所定容量未満であれば、カラー情報の送信あるいは、グレースケールの送信が指定されると、再度、送信機にＪＰＥＧ符号化画像の受信機能なし、および、フルカラー画像の受信機能なしを通知し、カラー情報の送信、グレースケールの送信がともに指定されなければ次のプロトコルに移行する。
【００３９】
以下、図２〜５を参照して上記構成における動作につき、さらに詳細に説明する。図２〜５は上記の通信制御の流れをフローチャート図として示したものである。図２〜５の同一番号の個所はそれぞれの位置で連続しているものとする。
【００４０】
図２において、ステップＳ０は所定のリセット操作などにより開始される処理の始めを示している。
【００４１】
ステップＳ２では、バス２６を介してメモリ回路１８をイニシャライズし、ステップＳ４では、バス２６を介して、操作部２０の表示部をクリアする。
【００４２】
ステップＳ６では、バス２６を介して、ＮＣＵ２のＣＭＬをオフとし、回線２ａを電話機４側に接続する。
【００４３】
ステップＳ８では、バス２６を介して、操作部２０の情報を入力し、メモリボックスへの登録が選択されたか否かを判断する。メモリボックスへの登録が選択されるとステップＳ１０に進み、バス２６を介してメモリ回路１８を制御し、メモリ回路１８に割り付けられているメモリボックス領域に対する登録処理を行なう。メモリボックスへの登録が選択されていなければステップＳ１２に進む。
【００４４】
ステップＳ１０では、ユーザが操作部２０を介して行なう操作入力に基づき、メモリボックスの登録処理を行なうが、ここでは、メモリボックス０１に対してサブアドレス「１２３４」を割り当てその通信仕様として親展受信を登録する。
【００４５】
ステップＳ１２では、受信が選択されたか否かを判断し、受信が選択されると図３のステップＳ１６に進み、受信が選択されていなければ、ステップＳ１４に進み、その他の処理（原稿画像のコピーなど）を実行する。
【００４６】
図３のステップＳ１６では、記録回路１６に記録紙があるか否かを判断し、記録紙があれば（あるいはその残量が充分であれば）、ステップＳ１８に進み、記録紙がなければ（あるいはその残量が僅少であれば）図４のステップＳ４４に進む。
【００４７】
ステップＳ１８では、記録回路１６のその他の記録材料、たとえばカラー用のインク（あるいはトナーなど）があるか否かを判断し、当該の記録材料があれば（あるいはその残量が充分であれば）、ステップＳ２６に進み、当該の記録材料がなければ（あるいはその残量が僅少であれば）ステップＳ２０に進む。
【００４８】
なお、以下では説明を容易にするために、記録回路１６の記録紙以外の記録材料としてはインクを例示するものとする。
【００４９】
さらに、ステップＳ２０では、黒インクがあるか否かを判断し、黒インクがあれば（あるいはその残量が充分であれば）、ステップＳ２２に進み、なければ（あるいはその残量が僅少であれば）図４のステップＳ４４に進む。
【００５０】
ステップＳ２２では、バス２６を介して、ＮＣＵ２のＣＭＬをオンとし、回線２ａをファクシミリ装置（ハイブリッド回路６）側に接続する。
【００５１】
ステップＳ２４ではファクシミリ前手順を実行する。ここでは、送信機に対してＪＰＥＧ受信機能あり、フルカラー受信機能あり、ＳＵＢ（サブアドレス）信号の受信機能ありを通知し、ステップＳ３０に移行する。
【００５２】
記録紙があり（ステップＳ１６）、カラーインクがある（ステップＳ１８）場合は、ステップＳ２６に移行する。ステップＳ２６では、バス２６を介して、ＮＣＵ２のＣＭＬをオンとし、回線２ａをファクシミリ装置（ハイブリッド回路６）側に接続する。
【００５３】
ステップＳ２８ではファクシミリ前手順を実行する。ここでは、送信機に対してＪＰＥＧ受信機能あり、フルカラー受信機能あり、ＳＵＢ信号の受信機能ありを通知する。
【００５４】
ステップＳ３０では、メモリボックスを指定するＳＵＢ信号により親展受信の指定（ＩＴＵ−Ｔ勧告Ｔ．３０の場合、上記のＤＩＳ信号のビットに対応したＤＣＳ信号のビットが機能指定に用いられる。以下同様）があるか否かを判断し、親展受信指定があれば図５のステップＳ６０に進み、親展受信指定がなければステップＳ３２に進む。
【００５５】
親展受信指定がない場合は、ステップＳ３２において、送信機からＪＰＥＧ送信指定があるか否を判断し、ＪＰＥＧ送信指定があればステップＳ３４に進む。ＪＰＥＧ送信指定がなければステップＳ３６に進み、白黒２値情報の受信／記録を実行する。
【００５６】
ＪＰＥＧ送信指定があった場合、ステップＳ３４では、送信機よりフルカラー送信指定が行なわれたか否かを判断し、送信機よりフルカラー送信指定が行なわれている場合はステップＳ３８に進み、カラー情報の受信／記録を実行し、送信機よりフルカラー送信指定が行なわれていない場合はステップＳ４０に進み、グレースケール情報の受信／記録を実行する。そしてステップＳ４２ではファクシミリ後手順を実行し、回線を切断した後ステップＳ６に復帰する。
【００５７】
一方、ステップＳ１６で記録紙がない（あるいはその残量が僅少）場合か、あるいは、記録紙があってもステップＳ１８およびステップＳ２０でカラーインクも黒インクもいずれもないことが検出された場合は、図４のステップＳ４４に移行し、メモリ容量に応じてカラーモードを決定し（ステップＳ４６、Ｓ４８、Ｓ５０）、メモリ受信を行なう。
【００５８】
すなわち、図４のステップＳ４４では、バス２６を介してＮＣＵ２のＣＭＬをオンとし、回線２ａをファクシミリ装置（ハイブリッド回路６）側に接続し、ステップＳ４６では、メモリ回路１８の使用可能なメモリ容量は１Ｍバイト（装置の構成に応じて定めた他の適当なしきい値でよい）以上であるか否かを判断する。メモリ回路１８の残量が１Ｍバイト以上であればステップＳ４８に進み、１Ｍバイト未満であればステップＳ５０に進む。
【００５９】
メモリ回路１８の残量が１Ｍバイト以上の場合は、ステップＳ４８ではファクシミリ前手順を実行する。ここでは、送信機に対してＪＰＥＧ受信機能あり、フルカラー受信機能あり、ＳＵＢ信号の受信機能ありを通知する。
【００６０】
一方、メモリ回路１８の残量が１Ｍバイト未満であれば、ステップＳ５０において、ファクシミリ前手順を実行する。ここでは、送信機に対してＪＰＥＧ受信機能なし、フルカラー受信機能なし、ＳＵＢ信号の受信機能ありを通知する。これらの機能は上記同様にＤＩＳ信号により宣言される。
【００６１】
ステップＳ５２では、送信機に指定された通信モードでのメモリ受信を実行する。ここでは、上記の受信機能の通知に応じて送信機が決定し、指定して来たカラーモード（フルカラー、グレースケール、白黒２値など）の通信モードにより、メモリ受信を行なう。また、ステップＳ３０で検出した親展受信であるか否かの情報も参照し、もし親展受信が指定されている場合には親展受信を行なう。さらに、ステップＳ５４ではファクシミリ後手順を実行する。
【００６２】
ステップＳ５６では、バス２６を介して、ＮＣＵ２のＣＭＬをオフとし、回線２ａを電話機４側に接続する (回線切断)。
【００６３】
ステップＳ５８では、バス２６を介して操作部２０の表示部を制御し、メモリ受信のある旨、さらに、その通信モード（カラー、グレースケール、白、黒２値のどのモードであるか、また親展受信であるか否かの情報）を併せて表示し、その後、ステップＳ６に復帰する。ステップＳ５８の表示は、親展受信した画像の記録出力が行なわれるまで継続させ、親展受信した画像の記録出力が行なわれたら消去するものとする。
【００６４】
一方、図３のステップＳ３０においてメモリボックスを指定するＳＵＢ信号により親展受信の指定が行われている場合は、図５のステップＳ６０において、メモリ回路１８の使用可能なメモリ容量は１Ｍバイト以上あるか否かを判断し、メモリ回路１８の残量が１Ｍバイト以上あれば図４のステップＳ５２に進み、メモリ回路１８の残量が１Ｍバイト未満であればステップＳ６２に進む。
【００６５】
ステップＳ６２では、送信機より、ＪＰＥＧ送信指定が行なわれたか否かを判断し、ＪＰＥＧ送信指定が行なわれた場合にはステップＳ６４に進み、行われていない場合には図４のステップＳ５２に進む。
【００６６】
ステップＳ６４ではファクシミリ前手順を実行するが、このステップＳ６４に到達するのは親展受信の指定が行なわれたがメモリ残量がなく、かつ、ＪＰＥＧ受信が指定された場合である。したがって、ステップＳ６４では、送信機に対してＪＰＥＧ受信機能なし、フルカラー受信機能なし、ＳＵＢ信号の受信機能ありを通知し、その後、図３のステップＳ３２に移行する。この場合は、送信機はステップＳ６４の宣言に応じてＪＰＥＧモードもフルカラーモードも指定しないので、ステップＳ３２からＳ３６に移行し、白黒２値モードにより親展受信が行なわれる。
【００６７】
以上のようにして、本実施形態によれば、受信機が受信処理に使用可能な資源を検出し、受信機が受信処理に使用可能な資源の検出結果に応じて、画像伝送の際のカラーモードを決定する、すなわち、記録紙、インクやトナーなどの記録材料、およびメモリ残量などの装置の資源の状況に応じて受信の際のカラーモード、すなわち、２値画像、中間調画像、カラー画像を受信する各モードを適切に選択するようにしているので、実行中の通信やその後の通信に不可能になるなどの障害を生じることなく確実に通信を行なえる。
【００６８】
たとえば、カラーインクジェット方式のファクシミリにおいては、インクはあり、記録紙がない状態でファクシミリ受信が行われると、メモリ受信に使用可能なメモリ容量が多いとカラー受信、グレイスケール受信を有効とし、メモリ受信に使用可能なメモリ容量が少ないと、カラー受信、グレイスケール受信を無効として白黒２値モードでの受信を行なうよう制御することにより、白黒２値モードにおいては受信可能な画像の枚数を増やすことができ、実行中の通信やその後の通信に不可能になるなどの障害を生じることなく重要なファクシミリ受信を確実に受信することが可能になる。
【００６９】
また、カラーインクジェット方式のファクシミリにおいては、記録紙、インクがともにある状態で、ファクシミリ受信が選択時、最初のＤＩＳ信号ではカラー受信機能あり、グレースケール受信機能ありを送信機に通知するが、その後の送信機からの指定でグレイスケール、あるいは、カラーモードによるメモリ受信、たとえば親展通信が指定されて、受信機側の使用可能なメモリ容量が少ない場合、カラー受信機能、グレースケール機能なしのＤＩＳ信号を送信するよう制御することにより、受信可能な画像の枚数を増やし、実行中の通信やその後の通信に不可能になるなどの障害を生じることなく重要なファクシミリ受信を確実に受信することが可能になる。
【００７０】
なお、以上では、メモリ受信の一例として親展通信を例示したが、上記実施形態の親展通信は、記録出力せずにメモリへの受信を行なうものであれば、他の形態のメモリ受信に置換することができる。
【００７１】
以上では、ファクシミリ専用機の構成を示したが、本発明はファクシミリ専用機のみならず、他の形態のファクシミリ装置に実施できるのはいうまでもない。たとえば、本発明は、パーソナルコンピュータのような汎用の端末にＦＡＸモデムなどを外付け／内蔵し、ソフトウェア制御によりファクシミリ通信を行なう構成においても実施することができる。その場合、本発明の制御プログラムは、前述のＲＯＭ２４のみならず、ハードディスク、フロッピーディスク、光ディスク、光磁気ディスクやメモリカードなどのあらゆるコンピュータ読み取り可能な記憶媒体に格納して供給することができる。
【００７２】
【発明の効果】
以上説明したように、本発明によれば、複数のカラーモードのいずれかを用いて画像伝送を行なうファクシミリ装置、その制御方法、その制御プログラムを格納したコンピュータ読取可能な記憶媒体において、受信機が受信処理に使用可能な資源を検出し、受信機が受信処理に使用可能な資源の検出結果に応じて、画像伝送の際のカラーモードを制御する構成を採用しているので、２値画像、中間調画像、カラー画像などを伝送するカラーモードを受信機の資源の状況に応じて適切に選択し、実行中の通信やその後の通信に不可能になるなどの障害を生じることなく確実に通信を行なえる、という優れた効果がある。
【００７３】
特に、受信機が、記録紙がない状態の受信時に、使用可能なメモリ容量が所定容量以上あれば送信機にＪＰＥＧ符号化画像の受信機能あり、およびフルカラー画像の受信機能ありを通知し、一方、使用可能なメモリ容量が所定容量未満であれば、送信機にＪＰＥＧ符号化画像の受信機能なし、およびフルカラー画像の受信機能なしを通知する構成、あるいは、受信機が、記録紙がある状態の受信時に、一旦ＪＰＥＧ符号化画像の受信機能あり、およびフルカラー画像の受信機能ありを通知した後、送信機からメモリ受信が指定され使用可能なメモリ容量が所定容量以上であれば次のプロトコルに移行するが、使用可能なメモリ容量が所定容量未満であれば、送信機からカラー情報の送信あるいはグレースケールの送信が指定されると送信機に対してＪＰＥＧ符号化画像の受信機能なし、および、フルカラー画像の受信機能なしを通知し直し、一方、送信機からカラー情報の送信およびグレースケールの送信がともに指定されなければ次のプロトコルに移行する構成によれば、受信機が受信可能な資源が少ない場合に白黒２値モードを利用して受信可能な画像の枚数を増やすことができ、実行中の通信やその後の通信に不可能になるなどの障害を生じることなく重要なファクシミリ受信を確実に受信することが可能になる、という優れた効果がある。
【図面の簡単な説明】
【図１】本発明を採用したファクシミリ装置のハードウェア構成を示したブロック図である。
【図２】図１のＣＰＵ２２の通信制御を示したフローチャート図である。
【図３】図１のＣＰＵ２２の通信制御を示したフローチャート図である。
【図４】図１のＣＰＵ２２の通信制御を示したフローチャート図である。
【図５】図１のＣＰＵ２２の通信制御を示したフローチャート図である。
【符号の説明】
２  ＮＣＵ
４  電話機
６  ハイブリッド回路
８  変復調器
１０  発呼回路
１２  加算回路
１４  読取回路
１６  記録回路
１８  メモリ回路
２０  操作部
２２  ＣＰＵ
２４  ＲＯＭ
２６  バス
【図１】
0003754877.tif 000002
【図２】
0003754877.tif 000003
【図３】
0003754877.tif 000004
【図４】
0003754877.tif 000005
【図５】
0003754877.tif 000006